【手続補正書】
【提出日】平成16年5月13日(2004.5.13)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、前記第２連通口は前記吸気フィルターの近傍に形成し、前記第１連通口は前記分離室の第２連通口と対角の位置に形成し、前記塵埃搬送室の第２連通口に臨む位置に吸気気流を分離室の内壁に沿わせつつ前記第１連通口に向かわせる整流ガイド部を形成してなる電気掃除機。
【請求項２】  電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、前記第２連通口は前記吸気フィルターの近傍に形成し、前記第１連通口の周囲に前記集塵室から分離室への気流の逆流を阻害する整流壁を形成してなる電気掃除機。
【請求項３】  電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、外郭を構成するケース本体と、前記吸気フィルターを有し前記ケース本体を開閉自在に閉塞する蓋体と、前記ケース本体に固定し前記分離室、塵埃搬送室、集塵室を区画するケース当板とで形成してなる電気掃除機。
【請求項４】  吸気フィルターの最大直径を分離室の直径の３０〜６５％に設定してなる請求項１〜３のいずれか１項に記載の電気掃除機。
【請求項５】  電気掃除機の使用状態にて、分離室を掃除機本体の前後方向に形成してなる請求項１〜４のいずれか１項に記載の電気掃除機。
【請求項６】  分離室を掃除機本体の前方側を前下がりとし、電動送風機側の後方に吸気フィルターを配置してなる請求項５記載の電気掃除機。
【請求項７】  電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、前記第１連通口の面積を第２連通口の面積より大きくしてなる電気掃除機。
【請求項８】  吸気フィルターの取付根元部は不通気部としてなる請求項１または２記載の電気掃除機。
【請求項９】  集塵室内には電動送風機へ連通する吸気通路への塵埃浸入を防止するプレフィルターを配置し、前記プレフィルターは塵埃排出側に向けて集塵室が広がるように傾斜させて取りつけてなる請求項１から８のいずれか１項記載の電気掃除機。
【発明の詳細な説明】
【０００１】
【発明の属する技術分野】
本発明は、吸気を旋回して塵埃を遠心分離する集塵ケース（サイクロン集塵部）を有する電気掃除機に関する。
【０００２】
【従来の技術】
従来のサイクロン集塵部を有した電気掃除機は、例えば特開２０００−３４２４９２号公報に開示された電気掃除機や、特開平９−２５３０１１号公報に開示された電気掃除機のように、吸塵されてサイクロン集塵部で分離された塵埃は、サイクロン集塵部内の旋回気流の影響を受けながら、単純にその集塵部の下方に蓄積していく構成のものであった。
【０００３】
【発明が解決しようとする課題】
ところがこのような電気掃除機にあっては、サイクロン集塵部に流入する塵埃を含んだ空気は、円筒状に構成したサイクロン集塵部に円周接線方向に導入し、サイクロン集塵部の内壁に沿うよう円周方向に旋回して、塵埃をサイクロン集塵部の下方に蓄積し、この蓄積された塵埃は、前述の通り単純に蓄積するだけの構造のため、特に繊維質や綿成分が多い塵埃の場合、吸塵した質量に対して嵩張る割合は大きくなる。
【０００４】
質量の大きい塵埃はサイクロン集塵部内の旋回で受ける遠心力により外周側で旋回し、内周部に位置する吸気フィルターを通過する吸気風量の変化（低下）は少なくなるが、繊維質の塵埃では小質量のためにサイクロン集塵部内での遠心分離効果が不十分となり、メインフィルター部の表面に繊維質の塵埃が吸着して吸込風量が低下しやすく、比較的小質量の塵埃の吸引で早期に吸込性能が低下するという問題を有していた。
【０００５】
また、塵埃はサイクロン集塵部の下方に蓄積した量が多くなると、排気管より排気される清浄空気の流れの影響を受けるようになり、排気管より排気される清浄空気とともに塵埃が排気管より排出される。この場合も、吸気フィルター部の表面に繊維質の塵埃が吸着して吸込風量が低下しやすく、比較的小質量の塵埃の吸引で早期に吸込性能が低下するという問題を有していた。
【０００６】
さらに、所定の塵埃量を集塵ケース内に蓄積しようとすると、大容量の集塵ケースを搭載する必要が発生し、近年の電気掃除機の小型軽量化に逆行することとなっていた。
【０００７】
本発明は上記従来の課題を解決するもので、安価な構成で特に繊維質塵埃の遠心分離効果を高くして、早期に吸込性能が低下するのを防止し、使い勝手を向上することを第１の目的としている。
【０００８】
また、蓄積した繊維質塵埃が分離室内に逆流するのを防止し、分離室に配置した吸気フィルターの表面に吸着するのを防止して、吸込性能が低下するのを防止し、使い勝手を向上することを第２の目的としている。
【０００９】
また、集塵ケースを構成する分離室、塵埃搬送室、集塵室などを容易に構成するとともに、構成を簡単にして、容易に製造できるようにすることを第３の目的としている。
【００１０】
【課題を解決するための手段】
本発明は上記第１の目的を達成するために、塵埃を吸引する吸込具と連通し、掃除機本体に内蔵する電動送風機の吸気上流側に集塵ケースを設け、塵埃を遠心分離するよう構成し、集塵ケースは、塵埃を遠心分離する分離室に塵埃搬送室より吸気を案内し、分離室と塵埃を蓄積する集塵室を第１連通口で連通して塵埃を移送し、塵埃搬送室と分離室を第２連通口で連通し、分離室内に吸気フィルターを配置し、第２連通口は吸気フィルターの近傍に形成し、第１連通口は第２連通口と対角の位置に形成し、第２連通口に臨む位置に吸気気流を分離室の内壁に沿わせつつ第１連通口に向かわせる整流ガイド部を形成してなるものである。
【００１１】
これにより、安価な構成で特に繊維質塵埃の遠心分離効果を高くできて、早期に吸込性能が低下するのを防止することができ、使い勝手を向上することができる。
【００１２】
また、上記第２の目的を達成するために、第２連通口は吸気フィルターの近傍に形成し、第１連通口の周囲に集塵室から分離室への気流の逆流を阻害する整流壁を形成してなるものである。
【００１３】
これにより、集塵室に蓄積した繊維質塵埃が分離室内に逆流するのを防止でき、分離室に配置した吸気フィルターの表面に吸着するのを防止できて、吸込性能が低下するのを防止することができ、使い勝手を向上することができる。
【００１４】
また、上記第３の目的を達成するために、集塵ケースは、外郭を構成するケース本体と、吸気フィルターを有しケース本体を開閉自在に閉塞する蓋体と、ケース本体に固定し分離室、塵埃搬送室、集塵室を区画するケース当板とで形成してなるものである。
【００１５】
これにより、集塵ケースを構成する分離室、塵埃搬送室、集塵室などを容易に構成することができるとともに、構成を簡単にして、容易に製造することができる。
【００１６】
【発明の実施の形態】
本発明の請求項１に記載の発明は、電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、前記第２連通口は前記吸気フィルターの近傍に形成し、前記第１連通口は前記分離室の第２連通口と対角の位置に形成し、前記塵埃搬送室の第２連通口に臨む位置に吸気気流を分離室の内壁に沿わせつつ前記第１連通口に向かわせる整流ガイド部を形成してなるものであり、第２連通口より分離室内に流入した塵埃を含む吸気気流は、整流ガイド部により整流されて分離室の内壁に沿って旋回し第１連通口に向かう気流を形成することができ、特に繊維質塵埃の遠心分離効果を高くすることができ、繊維質塵埃が分離室に配置した吸気フィルターの表面に吸着するのを防止できて、早期に吸込性能が低下するのを防止することができ、使い勝手を向上することができる。
【００１７】
請求項２に記載の発明は、電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、前記第２連通口は前記吸気フィルターの近傍に形成し、前記第１連通口の周囲に前記集塵室から分離室への気流の逆流を阻害する整流壁を形成してなるものであり、集塵室に塵埃が満杯ちかく蓄積されたとき、第１連通口を通して集塵室から分離室へ繊維質塵埃が逆流するのを防止することができ、逆流した塵埃が分離室に配置した吸気フィルターの表面に吸着するのを防止できて、吸込性能が低下するのを防止することができ、使い勝手を向上することができる。
【００１８】
請求項３に記載の発明は、電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、外郭を構成するケース本体と、前記吸気フィルターを有し前記ケース本体を開閉自在に閉塞する蓋体と、前記ケース本体に固定し前記分離室、塵埃搬送室、集塵室を区画するケース当板とで形成してなるものであり、分離室、塵埃搬送室、集塵室を区画するケース当板をケース本体と別体で形成することで、集塵ケースを構成するこれら各室を容易に構成することができるとともに、構成を簡単にして、容易に製造することができる。
【００１９】
請求項４に記載の発明は、上記請求項１〜３に記載の発明において、吸気フィルターの最大直径を分離室の直径の３０〜６５％に設定してなるものであり、吸気フィルターの最大直径を分離室の直径の６５％以下に設定することで、吸気フィルターに阻害されることなく分離室の内壁に沿って旋回する気流を形成することができて、塵埃の遠心分離効果を高くすることができ、また、吸気フィルターの最大直径を分離室の直径の３０％以上に設定することで、塵埃を遠心分離した後の清浄空気の吸込量を多くできて、結果として、吸込性能を向上することができ、使い勝手を向上することができる。
【００２０】
請求項５に記載の発明は、上記請求項１〜４に記載の発明において、電気掃除機の使用状態にて、分離室を掃除機本体の前後方向に形成してなるものであり、第２連通口より分離室内に流入し、分離室の内壁に沿って旋回する気流を掃除機本体の前後方向に形成することができ、この気流により遠心分離した塵埃を第１連通口を通して、自然落下に近い状態で集塵室に移送することができ、効率よく集塵することができる。
【００２１】
請求項６に記載の発明は、上記請求項５に記載の発明において、分離室を掃除機本体の前方側を前下がりとし、電動送風機側の後方に吸気フィルターを配置してなるものであり、分離室の内壁に沿って旋回する塵埃を含む気流に重力が作用するため、分離室を掃除機本体の前方側を前下がりとすることで、分離室の内壁に確実に沿って旋回することができて、塵埃の遠心分離効果を高くすることができ、電動送風機側の後方に配置した吸気フィルターを通して、塵埃を遠心分離した後の清浄空気を排出することができる。
【００２２】
請求項７に記載の発明は、第１連通口の面積を第２連通口の面積より大きくしてなるものであり、塵埃搬送室から第２連通口を通して分離室に流入する塵埃を含んだ空気の流速を速くし、分離室の内壁に沿って旋回する気流に作用する遠心力を大きくすることができて、塵埃の遠心分離効果を高くすることができるとともに、遠心分離した塵埃を第１連通口を通して、自然落下に近い状態で集塵室に移送することができ、効率よく集塵することができる。
【００２３】
請求項８に記載の発明は、上記請求項１または２に記載の発明において、吸気フィルターの取付根元部は不通気部としてなるものであり、吸気フィルターを略円筒状または略円錐台状に形成して分離室の電動送風機側の後方に配置し、この吸気フィルターの取付根元部は不通気部とすることで、第２連通口より分離室の内壁に沿わせて流入した吸気気流の一部が吸気フィルターを通して直接排出されるのを防止することができ、集塵性能を向上することができる。
【００２４】
請求項９に記載の発明は、上記請求項１から８に記載の発明において、集塵室内には電動送風機へ連通する吸気通路への塵埃浸入を防止するプレフィルターを配置し、前記プレフィルターは塵埃排出側に向けて集塵室が広がるように傾斜させて取りつけることで、集塵室から塵埃を排出する際に、プレフィルターによる抵抗を小さくして、排出をスムースにすることができる。
【００２５】
【実施例】
以下、本発明の実施例について、図面を参照しながら説明する。
【００２６】
（実施例１）
図３に示すように、掃除機本体１は、手元ハンドル２とホース継ぎ手３付きのホース４とを介して延長管５を連結し、延長管５に取り付けた塵埃を吸引する吸込具６に連通している。また、掃除機本体１は、枢支された１個の前輪キャスター７と一対の後輪８とを備えている。
【００２７】
この掃除機本体１は、図１および図２に示すように、下本体９と上本体１０と本体カバー１１とで外郭を構成している。電動送風機１２は、吸引風を発するもので、前方を第１サポートゴム１３で支持し、後方を第２ポートゴム１４を介して第１モータカバー１５と第２モータカバー１６により支持して下本体９に装着し、中本体１７により固定するようにしている。
【００２８】
集塵ケース１８は、ケース本体１９とこのケース本体１９に軸２０により開閉自在に係止した蓋体２１とで構成し、蓋体ボタン２２を押すことにより蓋体２１とケース本体１９との係止が外れ、蓋体２１をケース本体１９より開くよう構成し、この集塵ケース１８を電動送風機１２の吸気上流側、すなわち下本体９の前方に形成した凹部２３に取り外し可能に装着している。
【００２９】
集塵ケース１８は、塵埃を遠心分離する分離室２４を有し、この分離室２４は略中空円筒状で、電気掃除機の使用状態で前後方向に形成し、掃除機本体１の前方側を前下がりとし、図４および図５に示すように、掃除機本体１の吸気口２５に連通し分離室２４に吸気を案内する塵埃搬送室２６に第２連通口２７を介して連通するとともに、塵埃を移送する第１連通口２８を介して塵埃を蓄積する集塵室２９に連通している。ここで、第１連通口２８の面積を第２連通口２７の面積より大きくしている。
【００３０】
この分離室２４の電動送風機１２側の後方に電動送風機１２の吸気側と連通する吸気フィルター３０を配置し、この吸気フィルター３０の取付根元部を不通気部としている。第２連通口２７は吸気フィルター３０の近傍に形成し、第１連通口２８は分離室２４の第２連通口２７と対角の位置に形成している。また、塵埃搬送室２６の第２連通口２７に臨む位置に、図６に示すように、蓋体２１には吸気気流を分離室２４の内壁に沿わせつつ第１連通口２８に向かわせる整流ガイド部３１を形成している。また、第１連通口２８の周囲に集塵室２９から分離室２４への気流の逆流を阻害する整流壁３２を形成している。
【００３１】
また、集塵ケース１８は、圧縮フィルター３３を有し、この圧縮フィルター３３は、図４に示すように、集塵室２９とプレフィルター３４を介して電動送風機１２の吸気側と連通している。
【００３２】
吸気フィルター３０と電動送風機１２とを第１開口３４を有する第１吸気通路３５により連通し、圧縮フィルター３３と電動送風機１２とを第２開口３６を有する第２吸気通路３７により連通している。
【００３３】
遮蔽板３８は、第１吸気通路３５を構成する第１開口３４と、第２吸気通路３７を構成する第２開口３６とを択一的に開くもので、減速装置を内蔵した取付ケース３９に取り付けたモータ４０により駆動し、通常状態では、図７の点線で示すように位置し、第２吸気通路３７を構成する第２開口３６とを閉塞し、第１吸気通路３５を構成する第１開口３４を開放しており、掃除機の始動時に、図７の一点鎖線で示すように位置し、第１吸気通路３５を構成する第１開口３４を所定時間閉塞するよう構成している。
【００３４】
モータ４０は、図８に示すように、トランジスタＱ１〜Ｑ６により構成したモータ駆動回路を図示のように接続し、入力端子ａにＬｏ信号を一定時間（例えば１．５秒間）入力すると、トランジスタＱ１〜Ｑ３がＯＮし、一方、入力端子ｂにＨｉ信号を入力しておくことで、トランジスタＱ４〜Ｑ６がＯＦＦし、モータ４０に矢印Ａ方向に電圧が印加されて正転し、第１吸気通路３５を構成する第１開口３４を閉塞する。逆に、入力端子ｂにＬｏ信号を一定時間（例えば１．５秒間）入力すると、トランジスタＱ４〜Ｑ６がＯＮし、一方、入力端子ａにＨｉ信号を入力しておくことで、トランジスタＱ１〜Ｑ３がＯＦＦとなり、モータ４０に矢印Ｂ方向に電圧が印加されて逆転し、第１吸気通路３５を構成する第１開口３４を開放するよう構成している。
【００３５】
なお、図１および図２にて、４１は、モータ駆動回路を含む制御用プリント基板、４２は制御用プリント基板４１を収納する基板取付ケースであり、４３はハンドルである。
【００３６】
上記構成において動作を説明する。掃除機本体１の吸気口２５にホース４のホース継ぎ手３を連結し、ホース４に延長管５を介して吸込具６を連結し、運転を開始すると、電動送風機１２が運転を開始するとともに、モータ駆動回路の入力端子ａにＬｏ信号を入力し、入力端子ｂにＨｉ信号を入力する。
【００３７】
このことにより、トランジスタＱ１〜Ｑ３がＯＮし、トランジスタＱ４〜Ｑ６がＯＦＦすることでモータ４０が正転し、遮蔽板３８を正転駆動して第１開口３４を閉塞し、第２開口３６を開放する。第１開口３４が閉じると、所定時間（５秒間）の間、モータ４０をＯＦＦにし、電動送風機１２を最大入力で運転する。
【００３８】
このように、第１開口３４を閉塞し、第２開口３６を開放した状態で電動送風機１２を運転すると、吸気口２５より流入した吸気気流は、塵埃搬送室２６を通り第２連通口２７を介して分離室２４に入り、第１連通口２８を介して集塵室２９を通り、プレフィルター３４、圧縮フィルター３３を介して、第２開口３６を有する第２吸気通路３７を通って電動送風機１２に吸引される。
【００３９】
この空気の流れにより集塵室２９に収容されている塵埃を圧縮することができ、特に繊維質の塵埃を大幅に圧縮することができ、少量の塵埃の吸引で早期に吸込性能が低下することがなく、集塵室２９内の塵埃を廃棄する頻度を少なくすることができ、使い勝手を向上することができる。
【００４０】
所定時間（５秒間）が経過すると、モータ駆動回路の入力端子ｂにＬｏ信号を入力し、入力端子ａにＨｉ信号を入力する。このことにより、トランジスタＱ４〜Ｑ６がＯＮし、トランジスタＱ１〜Ｑ３がＯＦＦすることでモータ４０が逆転し、遮蔽板３８を逆転駆動して第１開口３４を開放し、第２開口３６を閉塞する。第１開口３４が開くと、モータ４０をＯＦＦにする。
【００４１】
この状態で電動送風機１２を使用者が設定した入力で運転する。吸込具６より吸引された塵埃を含む吸気気流は、図４および図５の矢印で示すように、吸気口２５より流入して塵埃搬送室２６を通り第２連通口２７を介して分離室２４に入る。
【００４２】
このとき、第１連通口２８は分離室２４の第２連通口２７と対角の位置に形成し、塵埃搬送室２６の第２連通口２７に臨む位置に吸気気流を分離室２４の内壁に沿わせつつ第１連通口２８に向かわせる整流ガイド部３１を形成しているので、第２連通口２７より分離室２４内に流入した塵埃を含む吸気気流は、整流ガイド部３１により整流されて分離室２４の内壁に沿って、第１連通口２８に向かう旋回気流を形成することができる。
【００４３】
この旋回気流により、吸気気流に含まれる塵埃に遠心力が働き、塵埃を遠心分離することができ、気流より分離した塵埃は第１連通口２８を通して集塵室２９に蓄積され、塵埃を分離した清浄空気は吸気フィルター３０を通して、第１開口３４を有する第１吸気通路３５より電動送風機１２に吸引される。このとき、特に繊維質塵埃の遠心分離効果を高くすることができ、繊維質塵埃が吸気フィルター３０の表面に吸着するのを防止できて、早期に吸込性能が低下するのを防止することができ、使い勝手を向上することができる。
【００４４】
また、第２連通口２７は吸気フィルター３０の近傍に形成し、第１連通口２８の周囲に集塵室２９から分離室２４への気流の逆流を阻害する整流壁３２を形成しているので、集塵室２９に塵埃が満杯ちかく蓄積されたとき、第１連通口２８を通して集塵室２９から分離室２４へ繊維質塵埃が逆流するのを防止することができ、逆流した塵埃が分離室２４に配置した吸気フィルター３０の表面に吸着するのを防止できて、吸込性能が低下するのを防止することができ、使い勝手を向上することができる。
【００４５】
また、電気掃除機の使用状態にて、分離室２４を掃除機本体１の前後方向に形成しているので、吸気口２５より流入して塵埃搬送室２６を通り第２連通口２７より分離室２４内に流入し、分離室２４の内壁に沿って旋回する気流を掃除機本体１の前後方向に形成することができ、この気流により遠心分離した塵埃を第１連通口２８を通して、自然落下に近い状態で集塵室２９に移送することができ、効率よく集塵することができる。
【００４６】
さらに、掃除機本体１の後面を床面に載置して保管する場合には、集塵室２９内の塵埃は、重力で蓋体２１側に堆積し、第１連通口２８から分離室２９へ入ることも生じない。
【００４７】
このとき、分離室２４の内壁に沿って旋回する塵埃を含む気流に重力が作用するため、分離室２４を掃除機本体１の前方側を前下がりとすることで、分離室２４の内壁に確実に沿って旋回することができて、塵埃の遠心分離効果を高くすることができ、電動送風機１２側の後方に配置した吸気フィルター３０を通して、塵埃を遠心分離した後の清浄空気を排出することができる。
【００４８】
また、第１連通口２８の面積を第２連通口２７の面積より大きくしているので、塵埃搬送室２６から第２連通口２７を通して分離室２４に流入する塵埃を含んだ空気の流速を速くすることができ、分離室２４の内壁に沿って旋回する気流に作用する遠心力を大きくすることができて、塵埃の遠心分離効果を高くすることができるとともに、遠心分離した塵埃を第１連通口２８を通して、自然落下に近い状態で集塵室２９に移送することができ、効率よく集塵することができる。
【００４９】
また、吸気フィルター３０を略円筒状または略円錐台状に形成して分離室２４の電動送風機１２側の後方に配置し、この吸気フィルター３０の取付根元部は不通気部とすることで、第２連通口２７より分離室２４の内壁に沿わせて流入した吸気気流の一部が吸気フィルター３０を通して直接排出されるのを防止することができ、集塵性能を向上することができる。
【００５０】
（実施例２）
図１および図２に示す吸気フィルター３０は、最大直径を分離室２４の直径の３０〜６５％に設定している。他の構成は上記実施例１と同じである。
【００５１】
上記構成において作用を説明する。吸気フィルター３０の最大直径を分離室２４の直径の６５％以下に設定することで、例えば、爪楊子のような長さを有する塵埃を吸引しても、塵埃搬送室２６から第２連通口２７を通して分離室２４に流入する塵埃を含んだ吸気気流は、吸気フィルター３０に阻害されることなく分離室２４の内壁に沿って旋回する気流を形成することができて、塵埃の遠心分離効果を高くすることができる。
【００５２】
また、吸気フィルター３０の最大直径を分離室２４の直径の３０％以上に設定することで、塵埃を遠心分離した後の清浄空気の吸込量を所定量確保でき、結果として、吸込性能を向上することができ、使い勝手を向上することができる。
【００５３】
（実施例３）
図９に示すように、集塵ケース４４は、外郭を構成するケース本体４５を、吸気フィルター３０を有する蓋体４６により開閉自在に閉塞して構成し、分離室２４、塵埃搬送室２６、集塵室２９を区画するケース当板４７をケース本体４５に固定して形成している。プレフィルター３４は、プレフィルター３４の下側の集塵室２９部分が、蓋体４６側で広くなるように、傾斜してケース当板４７に取りつけている。他の構成は上記実施例１と同じである。
【００５４】
上記構成において作用を説明する。分離室２４、塵埃搬送室２６、集塵室２９を区画するケース当板４７をケース本体４５と別体で形成することで、集塵ケース４４を構成する分離室２４、塵埃搬送室２６、集塵室２９を容易に構成することができるとともに、構成を簡単にして、容易に製造することができる。
【００５５】
加えて、塵埃が大きい遠心力で衝突するために高強度を必要とする分離室２４を構成するケース当板４７だけ、剛性が大きい材質で構成できる利点も有する。
【００５６】
また、プレフィルター３４は傾斜してケース当板４７に取りつけているので、蓋体４６を開いて集塵室２９内に蓄積した塵埃を排出するとき、塵埃の排出方向への抵抗が低下し、スムースに排出できることとなる。
【００５７】
【発明の効果】
以上のように本発明の請求項１に記載の発明によれば、電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、前記第２連通口は前記吸気フィルターの近傍に形成し、前記第１連通口は前記分離室の第２連通口と対角の位置に形成し、前記塵埃搬送室の第２連通口に臨む位置に吸気気流を分離室の内壁に沿わせつつ前記第１連通口に向かわせる整流ガイド部を形成してなるから、第２連通口より分離室内に流入した塵埃を含む吸気気流は、整流ガイド部により整流されて分離室の内壁に沿って旋回し第１連通口に向かう気流を形成することができ、特に繊維質塵埃の遠心分離効果を高くすることができ、繊維質塵埃が分離室に配置した吸気フィルターの表面に吸着するのを防止できて、早期に吸込性能が低下するのを防止することができ、使い勝手を向上することができる。
【００５８】
また、請求項２に記載の発明によれば、電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、前記第２連通口は前記吸気フィルターの近傍に形成し、前記第１連通口の周囲に前記集塵室から分離室への気流の逆流を阻害する整流壁を形成してなるから、集塵室に塵埃が満杯ちかく蓄積されたとき、第１連通口を通して集塵室から分離室へ繊維質塵埃が逆流するのを防止することができ、逆流した塵埃が分離室に配置した吸気フィルターの表面に吸着するのを防止できて、吸込性能が低下するのを防止することができ、使い勝手を向上することができる。
【００５９】
また、請求項３に記載の発明によれば、電動送風機を内蔵する掃除機本体と、塵埃を吸引する吸込具と連通し前記電動送風機の吸気上流側に設け塵埃を遠心分離する集塵ケースとを有し、前記集塵ケースは、塵埃を遠心分離する分離室と、前記分離室に吸気を案内する塵埃搬送室と、塵埃を蓄積する集塵室と、前記分離室と集塵室を連通して塵埃を移送する第１連通口と、前記塵埃搬送室と分離室を連通する第２連通口と、前記分離室内に配置した吸気フィルターとを具備し、外郭を構成するケース本体と、前記吸気フィルターを有し前記ケース本体を開閉自在に閉塞する蓋体と、前記ケース本体に固定し前記分離室、塵埃搬送室、集塵室を区画するケース当板とで形成してなるから、分離室、塵埃搬送室、集塵室を区画するケース当板をケース本体と別体で形成することで、集塵ケースを構成するこれら各室を容易に構成することができるとともに、構成を簡単にして、容易に製造することができる。
【００６０】
また、請求項４に記載の発明によれば、吸気フィルターの最大直径を分離室の直径の３０〜６５％に設定してなるから、吸気フィルターに阻害されることなく分離室の内壁に沿って旋回する気流を形成することができるとともに、塵埃を遠心分離した後の清浄空気の吸込量を多くでき、吸込性能を向上することができて、使い勝手を向上することができる。
【００６１】
また、請求項５に記載の発明によれば、電気掃除機の使用状態にて、分離室を掃除機本体の前後方向に形成してなるから、分離室の内壁に沿って旋回する気流により遠心分離した塵埃を第１連通口を通して、自然落下に近い状態で集塵室に移送することができ、効率よく集塵することができる。
【００６２】
また、請求項６に記載の発明によれば、分離室を掃除機本体の前方側を前下がりとし、電動送風機側の後方に吸気フィルターを配置してなるから、分離室の内壁に沿って旋回する塵埃を含む気流に重力が作用するため、分離室の内壁に確実に沿って旋回することができて、塵埃の遠心分離効果を高くすることができ、電動送風機側の後方に配置した吸気フィルターを通して、塵埃を遠心分離した後の清浄空気を排出することができる。
【００６３】
また、請求項７に記載の発明によれば、第１連通口の面積を第２連通口の面積より大きくしてなるから、分離室の内壁に沿って旋回する気流に作用する遠心力を大きくすることができて、塵埃の遠心分離効果を高くすることができるとともに、遠心分離した塵埃を第１連通口を通して、自然落下に近い状態で集塵室に移送することができ、効率よく集塵することができる。
【００６４】
また、請求項８に記載の発明によれば、吸気フィルターの取付根元部は不通気部としてなるから、第２連通口より分離室の内壁に沿わせて流入した吸気気流の一部が吸気フィルターを通して直接排出されるのを防止することができ、より集塵性能を向上することができる。
【００６５】
また、請求項９に記載の発明によれば、集塵室内には電動送風機へ連通する吸気通路への塵埃浸入を防止するプレフィルターを配置し、前記プレフィルターは塵埃排出側に向けて集塵室が広がるように傾斜させて取りつけることによって、塵埃排出をスムースにでき、使用性を向上することができる。
【図面の簡単な説明】
【図１】
本発明の第１の実施例の電気掃除機の掃除機本体の分解斜視図
【図２】
同電気掃除機の掃除機本体の断面図
【図３】
同電気掃除機の斜視図
【図４】
同電気掃除機の集塵ケースの蓋体を開いた状態の拡大斜視図
【図５】
同電気掃除機の集塵ケースの断面図
【図６】
同電気掃除機の集塵ケースのＸ−Ｘ線拡大断面図
【図７】
同電気掃除機の集塵ケースを外した状態の断面図
【図８】
同電気掃除機の遮蔽板を駆動するモータの駆動回路の回路図
【図９】
本発明の第３の実施例の電気掃除機の集塵ケースの断面図
【符号の説明】
１  掃除機本体
６  吸込具
１２  電動送風機
１８  集塵ケース
２４  分離室
２６  塵埃搬送室
２７  第２連通口
２８  第１連通口
２９  集塵室
３０  吸気フィルター
３１  整流ガイド部